(57)【要約】      （修正有）【課題】熱に強く、軽量で、形状などの加工が容易な金属製パネルを容易に壁面等に貼り付けたり取り外したりすることができ、場所を選ばず、気軽に室内をリフォーム感覚で装飾をすることができる金属製パネルを提供する。【解決手段】アルミ又はアルミ合金から成りアルマイト処理が施されている金属製板部材１と、金属製板部材１の少なくとも一つの面である第一面１１に貼着された粘着部材２と、粘着部材２における金属製板部材１とは反対側の面に貼着された剥離部材３とを備える。金属製板部材１の表面に視認可能な模様を施すことができる。【選択図】図２
0003219494.tif 000002
【実用新案登録請求の範囲】
【請求項１】
アルミ又はアルミ合金から成りアルマイト処理が施されている金属製板部材と、
前記金属製板部材の少なくとも一つの面である第一面に貼着された粘着部材と、
前記粘着部材における前記金属製板部材とは反対側の面に貼着された剥離部材と、
を備えることを特徴とする金属製パネル。
【請求項２】
前記金属製板部材は、前記第一面、前記第一面とは反対側の面である第二面、及び、前記第一面と前記第二面の間に位置する縁部からなる金属製板部材であって、前記金属製板部材の表面に視認可能な模様を施すことができることを特徴とする請求項１に記載の金属製パネル。
【請求項３】
前記金属製板部材は、少なくとも前記第二面に穿設された少なくとも一の穿設孔と、前記穿設孔に埋設された発光部材を備えることを特徴とする請求項２に記載の金属製パネル。
【請求項４】
前記金属製板部材は、前記第二面及び前記縁部を覆うカバー部材を備えることを特徴とする請求項２又は請求項３に記載の金属製パネル。
【考案の詳細な説明】
【技術分野】
【０００１】
本考案は、建物の内外において壁面や床などを装飾するために用いられる金属製パネルに関する。
【背景技術】
【０００２】
一般的に、住居の内外、例えば、リビング、台所、洗面所、トイレなどの壁面や床のリフォームは専門業者に依頼することが多く行われている。しかし、専門業者に依頼するとリフォーム代が高く、容易に住居のリフォームを行うことはできない。
【０００３】
近年では、DIYがブームになっており、個人でも簡単に台所等の壁面などのリフォームをすることができる商品がインターネットやホームセンターなどで多数販売されている。例えば、カラフルなタイルシールなどは簡単にカッターなどで任意の寸法に切断することができ、値段も安価で女性でも気軽に台所や洗面所の壁面などのリフォームをすることができる。素材も陶器製、樹脂製、金属製など多種多様に販売されている。
【０００４】
そこで、例えば、特許文献１では、正方形などのステンレス板１の縁部２を背面側に折曲し、ステンレス板１の背面にスポンジ等のクッション板３を貼付し、クッション板３の表面に接着剤４を塗布すると共に、塗布面を保護紙５で覆うタイルが開示されている。保護紙５をはがすことによってステンレスタイルを壁面などに貼付することができるため、板金加工等を必要とせず、容易にステンレス壁面を形成することができる。本段落の符号は特許文献１における符号である。
【先行技術文献】
【特許文献】
【０００５】
【特許文献１】公開実用新案公報昭６２−１８７００９号
【考案の概要】
【考案が解決しようとする課題】
【０００６】
しかし、先行特許文献１に記載のステンレスタイルは、素材のステンレスが一般的には重く、さらにステンレス板１と接着面の間にクッション板３を貼付しているため、ステンレスタイル全体の重量が増し、壁面等に接着する際には強力な接着剤４を使用しなければならず、さらに、ステンレスタイルを一旦壁面等に張設すると取り外すことは困難であった。なお、本段落の符号は特許文献１における符号である。
【０００７】
また、ステンレス板１と接着面との間にクッション板３が貼付されているため、ステンレスタイルは厚みを有する。そして、ステンレス板１の縁部２が背面側に折曲しているため、ステンレスタイルの厚みはステンレス板１から縁部２の端部に向かって先細りに減少している。したがって、複数枚のステンレスタイルを壁などに貼り付けると厚みのあるステンレス板１と厚みが先細って減っていく縁部２による凹凸が壁面上にでき、壁面全体の美観を損なうという問題もあった。さらに、ステンレスタイルを床に張り付けた場合には、歩行の際に凹凸部分に引っ掛かり、安全に歩行することができないなどの問題があった。なお、本段落の符号は特許文献１における符号である。
【０００８】
そして、インターネットや量販店で販売される部材は、価格の低さや取り扱いの容易さをメリットとしているため、種類、デザインの美しさ、素材の重厚感などは乏しいものが多く、デザイン性を兼ね備え個人でも容易にリフォームをすることができる部材はなかった。また、陶器は重く壁面等に貼着するには大きさが限られ、地震などによって万が一落下すると割れる恐れがあるため安全上の問題があった。樹脂製部材は熱に弱いため、台所のコンロ周りには使えないという問題があった。
【０００９】
そのため、本考案において、熱に強く、軽量で傷がつきにくく、形状などの加工が容易で、気軽に室内などをリフォーム感覚で装飾をすることができる金属製パネルを提供することを目的とする。
【課題を解決するための手段】
【００１０】
〔１〕すなわち、本考案は、アルミ又はアルミ合金から成りアルマイト処理が施されている金属製板部材（１）と、前記金属製板部材（１）の少なくとも一つの面である第一面（１１）に貼着された粘着部材（２）と、前記粘着部材（２）における前記金属製板部材（１）とは反対側の面に貼着された剥離部材（３）と、を備えることを特徴とする金属製パネルである。
【００１１】
〔２〕そして、前記金属製板部材（１）は、前記第一面（１１）、前記第一面（１１）とは反対側の面である第二面（１２）、及び、前記第一面（１１）と前記第二面（１２）の間に位置する縁部（１３）からなる金属製板部材（１）であって、前記金属製板部材の表面に視認可能な模様を施すことができることを特徴とする前記〔１〕に記載の金属製パネルである。
【００１２】
〔３〕そして、前記金属製板部材（１）は、少なくとも前記第二面（１２）に穿設された少なくとも一の穿設孔（１４）と、前記穿設孔（１４）に埋設された発光部材（１５）を備えることを特徴とする前記〔２〕に記載の金属製パネルである。
【００１３】
〔４〕そして、前記金属製板部材（１）は、前記第二面（１２）及び前記縁部（１３）を覆うカバー部材（４）を備えることを特徴とする前記〔２〕又は前記〔３〕に記載の金属製パネルである。
【考案の効果】
【００１４】
本考案の金属製パネルによれば、熱に強く、軽量で、形状などの加工が容易な金属製パネルを容易に壁面等に貼り付けたり取り外したりすることができ、場所を選ばず、気軽に住居等の内外をリフォーム感覚で装飾をすることができる。
【図面の簡単な説明】
【００１５】
【図１】本考案の第一実施形態における金属製パネルの斜視図である。
【図２】本考案の第一実施形態における図１におけるＡ−Ａ線断面図である。
【図３】本考案の第一実施形態における金属製パネルを切削加工によって模様が設けられた斜視図である。
【図４】本考案の第二実施形態おける金属製パネルに発光部材が設けられた状態の斜視図である。
【図５】本考案の第二実施形態における図４におけるＢ−Ｂ線断面図である。
【図６】本考案の第三実施形態におけるカバー部材が覆われた金属製パネルの斜視図である。
【図７】本考案の第三実施形態における解放端部を備えるカバー部材が覆われた金属製パネルの斜視図である。
【図８】本考案の第三実施形態における金属製パネルと写真をカバー部材によって覆っている使用状態の斜視図である。
【考案を実施するための形態】
【００１６】
以下、本考案に係る金属製パネルに関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。
【００１７】
（第一実施形態）
金属製パネルは、図１、図２などに示すように、金属製板部材１、粘着部材２、剥離部材３などからなり、壁面や床などに張り付けて用いられる。金属製板部材１の第一面１１に粘着部材２が貼着されているため、剥離部材３をはがすことによって、金属製パネルを容易に壁面等に貼り付けることができ、取外しも容易にできるため、気軽に室内外などをリフォーム感覚で装飾をすることができる。
【００１８】
金属製板部材１は、アルミ又はアルミ合金から成り表面にアルマイト処理が施されている部材であるため、美しい銀白色の金属光沢を保持したまま耐食性、耐摩耗性を維持することができる。素材がアルミ又はアルミ合金であるため、熱に強く、傷がつきにくく、また軽いため女性にも取り扱いが容易である。さらに、アルミ製金属は加工が容易であり、形状、模様などを自由自在に成型することができる。なお、本実施形態における金属製パネルは手のひらサイズであるが、手のひらサイズよりも小さくても大きくても良い。また、本実施形態における金属製パネルは正方形であるが、三角形や長方形などの多角形、星形、円形など種々の外形を有することができる。
【００１９】
金属製板部材１は、図１及び図２に示すように、第一面１１、第一面１１とは反対側の面である第二面１２、及び、第一面１１と第二面１２の間に位置する縁部１３からなる部材である。本実施形態において、図３に示すように、使用者は金属製板部材１の第二面１２や縁部１３に切削加工により窪みを設けることによって模様Ｄを付することができる。また、金型による一体成型によって金属製板部材１の第二面１２に隆起部を設けることにより、模様Ｄを成型することもできる。さらに、金属製板部材１を一部又は数カ所において形状を貫通させることによって全体的に模様Ｄを成型することもできる。
【００２０】
また、例えば、金属製板部材１にデジタル画像を印刷することもできるため、第二面１２に写真や好みの画像を付することもできる。したがって、壁面等に釘やビスなどを打ち込んで使用する写真立てや額縁などは不要である。
【００２１】
（第二実施形態）
図４、図５に示すように、第二実施形態に係る金属製パネルは、第一実施形態と同様に主として金属製板部材１、粘着部材２、剥離部材３などを備えている。
【００２２】
しかしながら、金属製板部材１の第二面１２に、１又は２以上の穿設孔１４を穿設し、発光部材１５を穿設孔１４に埋設することによって金属製板部材１が部分的に又は全体的に発光し、壁面などを照らすことができる。なお、発光部材１５は図示しない電源に接続されており、電気によって発光するが、屋外などでは太陽光発電を利用することもできる。
【００２３】
さらに、廊下の壁面などに金属製板部材１を貼着すると、夜間は発光部材１５の穏やかな明かりによって、廊下などを美しく装飾することができる。照明器具を廊下に置くと廊下が狭くなり歩行者の邪魔になることがあるが、本実施形態の金属製パネルは、廊下の壁面に薄い金属製板部材１が貼着されているので、使用者の歩行を邪魔することなく廊下を照らすことができる。
【００２４】
本実施形態において、発光部材１５としてはＬＥＤ（発光ダイオード）を使用しているが、金属製板部材１に取り付けることができる限りにおいて、電球や蓄光部材などでも良い。また、金属製板部材１の第二面１２だけでなく、縁部１３に穿設孔１４を穿設し、発光部材１５を取り付けても良い。
【００２５】
粘着部材２は、図２に示すように、金属製板部材１の第一面１１に貼着された部材である。粘着部材２によって、金属製パネルを壁面や床に貼着させたり、外したりすることが容易にできる。粘着部材２は、何度でも貼着させることができるため、同じ金属製パネルを違う場所にいろいろと貼着して、全体の景色と金属製パネルのバランスなどを考慮しながら試してみることができ、使用者が一番気に入った場所に金属製パネルを貼着させることができる。
【００２６】
剥離部材３は、粘着部材２における金属製板部材１とは反対側の面に貼着された部材であって、金属製板部材１と同じ形状である。使用者は、金属製パネルを貼着させる際、剥離部材３を剥がして壁面等に貼着させる。剥離部材３は、容易にはがすことができ、また、一度壁面等に貼着させた金属製パネルを使用しない場合は、剥離部材３を再度粘着部材２に貼着させることによって、金属製パネルの粘着性を維持したまま保管することができる。
【００２７】
本実施形態において、発光部材１５を使用したが、クリスタルガラスやビーズなどを第二面１２や縁部１３に接着しても良い。クリスタルガラスなどは発光部材１５とは異なり、電源などが不要なため壁面等への取付けが容易である。また、光の当たり方によっては発光部材１５とは異なる発光が発現し、装飾用金属製パネルとして豪華で見た目も華やかである。
【００２８】
（第三実施形態）
図６、図７、図８に示すように、第二実施形態に係る金属製パネルは、第一実施形態と同様に主として金属製板部材１、粘着部材２、剥離部材３などを備えている。
【００２９】
しかしながら、金属製板部材１を覆うカバー部材４を備える構造において相違する。カバー部材４は、金属製板部材１の第二面１２及び縁部１３を全体的に覆い、金属製板部材１の形状に係合する透明の部材である。カバー部材４の前面部４１は金属製板部材１の第二面１２に重合し、カバー部材４の端部４２は金属製板部材１の縁部１３に重合する。したがって、金属製パネルを全体的に保護することができる。さらに、図８に示すように、金属製パネルとカバー部材４の間に、例えば、好みの写真Ｐを挿入して壁面などに写真を飾ることができるため、壁面等に釘やビスなどを打ち込んで使用する写真立てや額縁などは不要である。
【００３０】
また、金属製板部材１の第二面１２に重合する前面部４１と、金属製板部材１の上下方向における縁部１３にぴったりと沿うように屈曲形成された上下端部４２１からなるカバー部材４でも良い。カバー部材４の左右側面は解放されている解放端部４２２から成り、解放端部４２２は金属製板部材１を覆っていないため、解放端部４２２と金属製板部材１の隙間から写真Ｐの出し入れを自由にできる。
【００３１】
本実施形態におけるカバー部材４は透明であるが、他の実施形態において、使用者の好みの柄や模様から成るカバー部材４でも良い。また、カバー部材４は金属製板部材１の様々な形状に合わせた形状にすることができ、前面部４１は孔を有するものでも良く無くても良い。カバー部材４は室内においては保護部材として使用でき、浴室や屋外においては防水機能を有するものが好ましい。
【符号の説明】
【００３２】
１・・・金属製板部材
１１・・第一面
１２・・第二面
１３・・縁部
１４・・穿設孔
１５・・発光部材
２・・・粘着部材
３・・・剥離部材
４・・・カバー部材
４１・・前面部
４２・・端部
４２１・上下端部
４２２・開放端部
Ｄ・・・模様
Ｐ・・・写真
【図１】
0003219494.tif 000003
【図２】
0003219494.tif 000004
【図３】
0003219494.tif 000005
【図４】
0003219494.tif 000006
【図５】
0003219494.tif 000007
【図６】
0003219494.tif 000008
【図７】
0003219494.tif 000009
【図８】
0003219494.tif 000010